(57)【特許請求の範囲】
【請求項１】
各ユーザがそれぞれ使用する複数の端末装置と、
サーバ装置と、
を備え、
同一のグループに所属している前記ユーザの間でスピーチを相互にライブ配信するライブ配信システムであって、
前記端末装置は、
前記ユーザのログイン要求を前記サーバ装置に通知するログイン処理部と、
前記サーバ装置からの要求に応じて前記ユーザのスピーチデータを前記サーバ装置に送信するスピーチ送信部と、
前記サーバ装置からライブ配信された他のユーザのスピーチデータを再生するスピーチ再生部と、
を備え、
前記サーバ装置は、
各ユーザのログイン状況を管理するユーザ管理部と、
前記端末装置のユーザがメンバとなるグループを管理するグループ管理部と、
前記グループ毎に、所属しているメンバのうち、ログイン締め切り時刻までにログインした全てのメンバそれぞれの前記端末装置に対して前記スピーチデータの送信を所定の順序に従って順次要求し、要求に応じて前記端末装置から順次送信された前記スピーチデータを、所属しているメンバの前記端末装置にライブ配信するスピーチ配信部と、
を備える
ことを特徴とするライブ配信システム。
【請求項２】
請求項１に記載のライブ配信システムであって、
前記スピーチ送信部は、前記グループ毎に、所属しているメンバのうち、ライブ配信開始時刻よりも前のログイン締め切り時刻までにログインした全てのメンバそれぞれの前記端末装置に対して前記スピーチデータの送信を所定の順序に従って順次要求し、要求に応じて前記端末装置から順次送信された前記スピーチデータを、所属しているメンバの前記端末装置にライブ配信する
ことを特徴とするライブ配信システム。
【請求項３】
請求項１に記載のライブ配信システムであって、
前記スピーチ配信部は、前記グループ毎に、ライブ配信開始時刻になったとき、所属しているメンバのうち、ログイン締め切り時刻までにログインした全てのメンバそれぞれの前記端末装置に対して前記スピーチデータの送信を所定の順序に従って順次要求し、要求に応じて前記端末装置から順次送信された前記スピーチデータを、前記ライブ配信開始時刻までにログインしたメンバの前記端末装置にライブ配信する
ことを特徴とするライブ配信システム。
【請求項４】
請求項１〜３のいずれか一項に記載のライブ配信システムであって、
前記スピーチ送信部は、前記サーバ装置からの前記スピーチデータの送信の要求に応じ、リアルタイムで撮像されている前記スピーチデータを前記サーバ装置に送信する
ことを特徴とするライブ配信システム。
【請求項５】
請求項１〜３のいずれか一項に記載のライブ配信システムであって、
前記端末装置は、
前記ユーザのスピーチを撮像した前記スピーチデータを予め保持するスピーチ保持部、
を備え、
前記スピーチ送信部は、前記サーバ装置からの前記スピーチデータの送信の要求に応じ、前記スピーチ保持部によって予め保持されている前記スピーチデータを前記サーバ装置に送信する
ことを特徴とするライブ配信システム。
【請求項６】
請求項１〜５のいずれか一項に記載のライブ配信システムであって、
前記端末装置は、
前記ユーザのスピーチに同期して表示するための素材データを管理する素材データ管理部、
を備え、
前記スピーチ送信部は、前記スピーチデータに前記素材データを重畳して前記サーバ装置に送信する
ことを特徴とするライブ配信システム。
【請求項７】
請求項１〜６のいずれか一項に記載のライブ配信システムであって、
前記端末装置は、
前記サーバ装置からライブ配信されて再生された、同一のグループに所属している他のメンバのスピーチに対する前記ユーザからのコメントを受け付けて前記サーバ装置に通知するコメント処理部、
を備える
ことを特徴とするライブ配信システム。
【請求項８】
請求項１〜７のいずれか一項に記載のライブ配信システムであって、
前記ログイン処理部は、前記ユーザによって選択された当日参加するグループのグループＩＤを前記サーバ装置に通知する
ことを特徴とするライブ配信システム。
【請求項９】
請求項１〜７のいずれか一項に記載のライブ配信システムであって、
前記ユーザ管理部は、前記端末装置から前記ユーザが当日参加するグループのグループＩＤが通知されない場合、前記ユーザが当日参加するグループを選択する
ことを特徴とするライブ配信システム。
【請求項１０】
請求項１〜９のいずれか一項に記載のライブ配信システムであって、
前記サーバ装置は、
前記端末装置から送信された前記スピーチデータをスピーチデータベースに記録するスピーチ管理部、
を備える
ことを特徴とするライブ配信システム。
【請求項１１】
請求項１〜１０のいずれか一項に記載のライブ配信システムであって、
前記グループ管理部は、グループ毎に、グループリーダが決定した各メンバのスピーチ順序、及びスピーチ時間の少なくとも一方を管理する
ことを特徴とするライブ配信システム。
【請求項１２】
請求項１〜１１のいずれか一項に記載のライブ配信システムであって、
前記サーバ装置は、
前記端末装置から送信された証明画像に基づいて前記端末装置のユーザが起床しているか否かを判定する起床判定部、
を備え、
前記ユーザ管理部は、前記起床判定部によって起床していると判定されたユーザに対してポイントを付与する
ことを特徴とするライブ配信システム。
【請求項１３】
請求項１２に記載のライブ配信システムであって、
前記起床判定部は、前記証明画像の画像解析結果に基づいて前記端末装置のユーザが起床しているか否かを判定する
ことを特徴とするライブ配信システム。
【請求項１４】
請求項１２に記載のライブ配信システムであって、
前記起床判定部は、前記端末装置のユーザとは異なる評価ユーザによる前記証明画像に対する評価に基づいて前記端末装置のユーザが起床しているか否かを判定する
ことを特徴とするライブ配信システム。
【請求項１５】
各ユーザがそれぞれ使用する複数の端末装置と、
サーバ装置と、
を備え、
同一のグループに所属している前記ユーザの間でスピーチを相互にライブ配信するライブ配信システムによるライブ配信方法であって、
前記端末装置による、前記ユーザのログイン要求を前記サーバ装置に通知するログイン処理ステップと、
前記サーバ装置による、前記端末装置のユーザがメンバとなるグループ毎に、所属しているメンバのうち、ログイン締め切り時刻までにログインした全てのメンバそれぞれの前記端末装置に対してスピーチデータの送信を所定の順序で順次要求するスピーチ要求ステップと、
前記端末装置による、前記サーバ装置からの要求に応じて前記ユーザの前記スピーチデータを前記サーバ装置に送信するスピーチ送信ステップと、
前記サーバ装置による、前記グループ毎に、要求に応じて前記端末装置から順次送信された前記スピーチデータを、所属しているメンバの前記端末装置にライブ配信するスピーチ配信ステップと、
前記端末装置による、前記サーバ装置からライブ配信された他のユーザのスピーチデータを再生するスピーチ再生ステップと、
を含む
ことを特徴とするライブ配信方法。
【請求項１６】
同一のグループに所属しているメンバの間でスピーチを相互にライブ配信するライブ配信システムのサーバ装置であって、
端末装置のユーザのログイン状況を管理するユーザ管理部と、
前記端末装置のユーザが前記メンバとなる前記グループを管理するグループ管理部と、
前記グループ毎に、所属しているメンバのうち、ログイン締め切り時刻までにログインした全てのメンバそれぞれの前記端末装置に対してスピーチデータの送信を所定の順序に従って順次要求し、要求に応じて前記端末装置から順次送信された前記スピーチデータを、所属しているメンバの前記端末装置にライブ配信するスピーチ配信部と、
を備える
ことを特徴とするサーバ装置。
【発明の詳細な説明】
【技術分野】
【０００１】
本発明は、例えば、朝活の支援に用いて好適なライブ配信システム、ライブ配信方法、及びサーバ装置に関する。
【背景技術】
【０００２】
早朝の時間帯を有効に活用する、所謂、朝活が注目されている。朝活を行う場合、早朝に起床する必要があり、眠気を克服しなければならない。眠気を克服して朝活に対するモチベーションを維持するためには、グループに所属し、同一のグループに所属しているメンバが相互に起床を確認し合うようにした方が単独で行うよりもよい。
【０００３】
同じグループに所属している他のメンバと相互に起床を確認し合うには、例えば、既存のＳＮＳ(Social Networking Service)等を利用して、メンバが互いに起床した旨のメッセージや動画像を送信する方法が考えられる。
【０００４】
例えば特許文献１には、同一のグループに所属する複数のメンバがそれぞれの動画像及び音声を配信し合うことができるライブ放送システムが記載されている。
【先行技術文献】
【特許文献】
【０００５】
【特許文献１】再表２０１５−１６６５７３号公報
【発明の概要】
【発明が解決しようとする課題】
【０００６】
上述したように、同一のグループに所属する複数のメンバがそれぞれの動画像等を配信できるシステムは存在する。しかしながら、同一グループに所属しているメンバが相互に起床を確認するような用途に適したシステムは存在しない。
【０００７】
本発明は、このような状況に鑑みてなされたものであり、同一グループに所属しているメンバが相互に起床を確認できるような用途に適したシステムの実現を目的とする。
【課題を解決するための手段】
【０００８】
本発明は、上記課題の少なくとも一部を解決する手段を複数含んでいるが、その例を挙げるならば、以下のとおりである。
【０００９】
上記課題を解決すべく、本発明の一態様に係るライブ配信システムは、各ユーザがそれぞれ使用する複数の端末装置と、サーバ装置と、を備え、同一のグループに所属している前記ユーザの間でスピーチを相互にライブ配信するライブ配信システムであって、前記端末装置は、前記サーバ装置からの要求に応じて前記ユーザのスピーチデータを前記サーバ装置に送信するスピーチ送信部と、前記サーバ装置からライブ配信された他のユーザのスピーチデータを再生するスピーチ再生部と、を備え、前記サーバ装置は、前記端末装置のユーザがメンバとなるグループを管理するグループ管理部と、前記グループ毎に、所属している各メンバの前記端末装置に対して前記スピーチデータの送信を所定の順序に従って順次要求し、要求に応じて前記端末装置から順次送信された前記スピーチデータを、所属しているメンバの前記端末装置にライブ配信するスピーチ配信部と、を備えることを特徴とする。
【００１０】
前記端末装置は、前記ユーザのログイン要求を前記サーバ装置に通知するログイン処理部、を備えることができ、前記サーバ装置は、各ユーザのログイン状況を管理するユーザ管理部、を備えることができ、前記スピーチ配信部は、前記端末装置のユーザがメンバとなるグループを管理するグループ管理部と、前記グループ毎に、所属しているメンバのうち、ログイン締め切り時刻までにログインした各メンバの前記端末装置に対して前記スピーチデータの送信を所定の順序に従って順次要求し、要求に応じて前記端末装置から順次送信された前記スピーチデータを、所属しているメンバの前記端末装置にライブ配信することができる。
【００１１】
前記スピーチ配信部は、前記グループ毎に、ライブ配信開始時刻になったとき、所属しているメンバのうち、ログイン締め切り時刻までにログインした各メンバの前記端末装置に対して前記スピーチデータの送信を所定の順序に従って順次要求し、要求に応じて前記端末装置から順次送信された前記スピーチデータを、前記ライブ配信開始時刻までにログインしたメンバの前記端末装置にライブ配信することができる。
【００１２】
前記スピーチ送信部は、前記サーバ装置からの前記スピーチデータの送信の要求に応じ、リアルタイムで撮像されている前記スピーチデータを前記サーバ装置に送信することができる。
【００１３】
前記端末装置は、前記ユーザのスピーチを撮像した前記スピーチデータを予め保持するスピーチ保持部、を備えることができ、前記スピーチ送信部は、前記サーバ装置からの前記スピーチデータの送信の要求に応じ、前記スピーチ保持部によって予め保持されている前記スピーチデータを前記サーバ装置に送信することができる。
【００１４】
前記端末装置は、前記ユーザのスピーチに同期して表示するための素材データを管理する素材データ管理部、を備えることができ、前記スピーチ送信部は、前記スピーチデータに前記素材データを重畳して前記サーバ装置に送信することができる。
【００１５】
前記端末装置は、前記サーバ装置からライブ配信されて再生された、同一のグループに所属している他のメンバのスピーチに対する前記ユーザからのコメントを受け付けて前記サーバ装置に通知するコメント処理部、を備えることができる。
【００１６】
前記ログイン処理部は、前記ユーザによって選択された当日参加するグループのグループＩＤを前記サーバ装置に通知することができる。
【００１７】
前記ユーザ管理部は、前記端末装置から前記ユーザが当日参加するグループのグループＩＤが通知されない場合、前記ユーザが当日参加するグループを選択することができる。
【００１８】
前記サーバ装置は、前記端末装置から送信された前記スピーチデータをスピーチデータベースに記録するスピーチ管理部、を備えることができる。
【００１９】
前記グループ管理部は、グループ毎に、グループリーダが決定した各メンバのスピーチ順序、及びスピーチ時間の少なくとも一方を管理することができる。
【００２０】
前記サーバ装置は、前記端末装置から送信された証明画像に基づいて前記端末装置のユーザが起床しているか否かを判定する起床判定部、を備えることができ、前記ユーザ管理部は、前記起床判定部によって起床していると判定されたユーザに対してポイントを付与することができる。
【００２１】
前記起床判定部は、前記証明画像の画像解析結果に基づいて前記端末装置のユーザが起床しているか否かを判定することができる。
【００２２】
前記起床判定部は、前記端末装置のユーザとは異なる評価ユーザによる前記証明画像に対する評価に基づいて前記端末装置のユーザが起床しているか否かを判定することができる。
【００２３】
本発明の他の態様に係るライブ配信方法は、各ユーザがそれぞれ使用する複数の端末装置と、サーバ装置と、を備え、同一のグループに所属している前記ユーザの間でスピーチを相互にライブ配信するライブ配信システムによるライブ配信方法であって、前記サーバ装置による、前記端末装置のユーザがメンバとなるグループ毎に、所属している各メンバの前記端末装置に対してスピーチデータの送信を所定の順序で順次要求するスピーチ要求ステップと、前記端末装置による、前記サーバ装置からの要求に応じて前記ユーザの前記スピーチデータを前記サーバ装置に送信するスピーチ送信ステップと、前記サーバ装置による、前記グループ毎に、要求に応じて前記端末装置から順次送信された前記スピーチデータを、所属しているメンバの前記端末装置にライブ配信するスピーチ配信ステップと、前記端末装置による、前記サーバ装置からライブ配信された他のユーザのスピーチデータを再生するスピーチ再生ステップと、を含むことを特徴とする。
【００２４】
本発明のさらに他の態様に係るサーバ装置は、同一のグループに所属しているメンバの間でスピーチを相互にライブ配信するライブ配信システムのサーバ装置であって、端末装置のユーザが前記メンバとなる前記グループを管理するグループ管理部と、前記グループ毎に、所属している各メンバの前記端末装置に対してスピーチデータの送信を所定の順序に従って順次要求し、要求に応じて前記端末装置から順次送信された前記スピーチデータを、所属しているメンバの前記端末装置にライブ配信するスピーチ配信部と、を備えることを特徴とする。
【００２５】
本発明のさらに他の態様に係るプログラムは、同一のグループに所属しているメンバがユーザとなるコンピュータを、サーバ装置からの要求に応じて前記ユーザのスピーチデータを前記サーバ装置に送信するスピーチ送信部と、前記サーバ装置からライブ配信された他のユーザのスピーチデータを再生するスピーチ再生部と、して機能させ、前記サーバ装置は、前記グループ毎に、所属している各メンバの前記コンピュータに対して前記スピーチデータの送信を所定の順序に従って順次要求し、要求に応じて前記コンピュータから順次送信された前記スピーチデータを、所属しているメンバの前記コンピュータにライブ配信することを特徴とする。
【発明の効果】
【００２６】
本発明の一態様によれば、同一グループに所属しているメンバが相互に起床を確認することが可能となる。
【００２７】
上記した以外の課題、構成及び効果は、以下の実施形態の説明により明らかにされる。
【図面の簡単な説明】
【００２８】
【図１】図1は、本発明の一実施形態に係るライブ配信システムの構成例を示す図である。
【図２】図２は、端末装置の構成例を示す図である。
【図３】図３は、サーバ装置の構成例を示す図である。
【図４】図４は、ユーザ情報の一例を示す図である。
【図５】図５は、グループ情報の一例を示す図である。
【図６】図６は、端末装置に表示されるグループ選択画面の表示例を示す図である。
【図７】図７は、端末装置に表示されるグループ専用画面の表示例を示す図である。
【図８】図８は、端末装置の動作の一例を説明するフローチャートである。
【図９】図９は、サーバ装置の動作の一例を説明するフローチャートである。
【図１０】図１０は、複数の端末装置、及びサーバ装置の動作の一例を説明するタイミングチャートである。
【図１１】図１１は、証明画像に対する他のユーザの評価に基づいてユーザの起床を判定する処理の一例を説明するタイミングチャートである。
【発明を実施するための形態】
【００２９】
以下、本発明に係る一実施形態を図面に基づいて説明する。なお、実施形態を説明するための全図において、同一の部材には原則として同一の符号を付し、その繰り返しの説明は省略する。また、以下の実施形態において、その構成要素（要素ステップ等も含む）は、特に明示した場合および原理的に明らかに必須であると考えられる場合等を除き、必ずしも必須のものではないことは言うまでもない。また、「Ａからなる」、「Ａよりなる」、「Ａを有する」、「Ａを含む」と言うときは、特にその要素のみである旨明示した場合等を除き、それ以外の要素を排除するものでないことは言うまでもない。同様に、以下の実施形態において、構成要素等の形状、位置関係等に言及するときは、特に明示した場合および原理的に明らかにそうでないと考えられる場合等を除き、実質的にその形状等に近似または類似するもの等を含むものとする。
【００３０】
＜本発明の一実施形態に係るライブ配信システムの構成例＞
本発明の一実施形態に係るライブ配信システムは、ユーザの朝活を支援するため、ユーザに早起きの動機付けを与えるものである。具体的には、早朝のログイン締め切り時刻（例えば、０５：５０）までにログインした、同一のグループに所属しているユーザが、ライブ配信開始時刻（例えば、０６：００）から順次、短時間（数十秒〜１，２分程度）のスピーチを行い、その動画像をグループ内でライブ配信することにより、同一のグループに所属しているユーザが相互に起床を確認できるようにするものである。
【００３１】
ユーザはログイン締め切り時刻を過ぎてもライブ配信開始時刻までにログインが可能である。ただし、ログイン締め切り時刻を過ぎてログインしたユーザはスピーチを行うことができず、ログイン締め切り時刻までにログインした他のユーザのスピーチを視聴することだけが可能となる。なお、ライブ配信開始時刻が過ぎてもログインできるようにしてもよい。
【００３２】
なお、スピーチは、グループに所属しているユーザの他、ライブ配信システムによって当日参加するグループが選択された自由参加枠メンバも行うことができる。また、スピーチの配信は、グループに所属しているユーザの他、例えば、入会を検討している人が視聴できるようにしてもよい。この場合、ライブ配信のスピーチを視聴させてもよいし、ライブ配信が終了した、記録されているスピーチを視聴させてもよい。
【００３３】
スピーチは、音声を含む動画像の他、音声を含まない動画像（例えば、手話を使っている動画像）でもよいし、静止画像と音声でもよいし、音声だけでもよい。
【００３４】
グループは、所属しているユーザに対して入会金や会費等を課金できるようにしてもよい。また、ユーザから寄付金等を受領できるようにしてもよい。なお、入会金、会費、寄付金等の支払いとして、ユーザに付与されたポイントを用いることができるようにしてもよい。
【００３５】
以下、グループに所属しているユーザを、メンバとも称する。
【００３６】
図１は、本発明の一実施形態に係るライブ配信システム１０の構成例を示している。
【００３７】
ライブ配信システム１０は、ユーザによって操作される複数の端末装置２０１，２０２、・・・、２０Ｎ（Ｎは正の整数）及びサーバ装置３０を備える。以下、端末装置２０１，２０２、・・・、２０Ｎを個々に区別する必要がない場合、単に端末装置２０と称する。
【００３８】
端末装置２０は、ネットワーク１１を介してサーバ装置３０に接続する。ネットワーク１１は、例えば、携帯電話通信網、インターネット等の双方向通信網である。
【００３９】
＜端末装置２０の構成例＞
次に、図２は、端末装置２０の構成例を示している。
【００４０】
端末装置２０は、例えば、スマートフォン、パーソナルコンピュータ、タブレット型コンピュータ等の一般的なコンピュータからなる。端末装置２０は、処理部２１、記憶部２２、通信部２３、音声入出力部２４、撮像部２５、操作部２６、及び表示部２７を備える。
【００４１】
処理部２１は、登録部２１１、ログイン処理部２１２、スピーチ送信部２１３、スピーチ再生部２１４、スピーチ保持部２１５、素材データ管理部２１６、コメント処理部２１７、及び画面編集部２１８の各機能ブロックを有する。
【００４２】
処理部２１の各機能ブロックは、例えば、コンピュータのＣＰＵ(Central Processing Unit)が所定のアプリケーションプログラム（以下、朝活アプリと称する）を実行することによって実現される。
【００４３】
登録部２１１は、サーバ装置３０からスピーチのライブ配信が行われていない時間帯に、ユーザからの操作に応じてサーバ装置３０に対して、利用登録、グループの新規作成、既存のグループへの入会（所属）、退会等の各種の登録処理を行う。ユーザがグループを新規作成した場合、該ユーザは新規作成したグループのリーダ（グループリーダ）となる。
【００４４】
ユーザは、端末装置２０を用いてサーバ装置３０に接続し、既存のグループを検索することができる。また、ユーザは、利用登録のみを行い、グループに所属しなくてもよい。そして、グループに所属していないユーザがログインした場合、サーバ装置３０がランダムに、またはユーザの嗜好や属性に応じて、当日参加するグループを選択するようにしてもよい。この場合、該ユーザは、一時的に該グループに所属する自由参加枠メンバとなる。
【００４５】
グループリーダは、該グループのログイン締め切り時刻及びライブ配信開始時刻を決定することができる。また、グループリーダは、該グループにおけるメンバのスピーチの順序を予め決定することができる。なお、自由参加枠メンバが存在する場合、そのスピーチの順序は、該グループにおけるメンバの間にランダムに設定される。またさらに、グループリーダは、メンバのスピーチ時間を決定することができる。メンバのスピーチ時間は、全員が同じ時間でもよいし、異なっていてもよい。
【００４６】
さらに、グループリーダは、該グループに所属している各メンバの端末装置２０に表示されるグループ専用画面６０（図７）のレイアウトを決定することができる。具体的には、例えば、グループ専用画面６０に用いるテンプレートを選択したり、グループが保有するポイントを利用してデコレーションアイテムを購入し、グループ専用画面６０を装飾したり、グループ専用画面６０における広告枠の有無を設定したりすることができる。グループ専用画面６０に広告枠を設けた場合、得られた広告収入の一部をグループのポイントとすることができる。グループリーダは、グループポイントを確認することができる。
【００４７】
ログイン処理部２１２は、ユーザからの所定の操作に応じ、サーバ装置３０に対してログインを要求する。また、ログイン処理部２１２は、ユーザが複数のグループに所属している場合、ユーザがグループ選択画面５０（図６）を用いて選択した当日参加するグループのグループＩＤをサーバ装置３０に通知する。なお、ログイン処理部２１２が、ユーザが当日参加するグループを選択するようにしてもよい。さらに、ログイン処理部２１２は、通信部２３に対し、撮像部２５によって撮像されたユーザが起床していることの証拠となる画像（以下、証明画像と称する）をサーバ装置３０に送信させる。証明画像に基づき、ユーザが起床していると判定された場合、証明画像を送信したユーザにはポイントが付与される。なお、証明画像の送信は任意であり、送信しなくてもよい。
【００４８】
スピーチ送信部２１３は、サーバ装置３０からの要求に応じて、ユーザのスピーチデータをサーバ装置３０に送信する。具体的には、スピーチ送信部２１３は、撮像部２５及び音声入出力部２４を制御してユーザのスピーチを撮像させ、その結果順次得られるスピーチデータを通信部２３からサーバ装置３０に送信させる。ここで、スピーチを撮像するとは、撮像部２５によって動画像を撮像するだけでなく、それに対応する音声を音声入出力部２４によって集音する動作を含む。なお、サーバ装置３０からの要求には、スピーチの時間（数十秒〜１，２分程度）が含まれており、その時間が超過した時点でスピーチの撮像及び送信は終了される。
【００４９】
ただし、サーバ装置３０に送信するスピーチデータは、ユーザがスピーチを行っている様子を予め撮像し、記憶部２２に記憶されているスピーチデータ２２１を送信するようにしてもよい。
【００５０】
スピーチ再生部２１４は、サーバ装置３０からライブ配信され、通信部２３によって受信された他のユーザのスピーチデータを再生し、その結果得られる動画像を表示部２７に表示させ、音声を音声入出力部２４から出力させる。
【００５１】
スピーチ保持部２１５は、ユーザからの所定の操作に応じ、音声入出力部２４及び撮像部２５を制御して、サーバ装置３０に送信するためのユーザのスピーチを予め撮像させ、その結果得られるスピーチデータ２２１を記憶部２２に保持させる。
【００５２】
素材データ管理部２１６は、ユーザによるスピーチに合わせて各端末装置２０の表示部２７に表示するための写真、画像、プレゼンテーション用データ等の素材データ２２２を管理する。また、素材データ管理部２１６は、スピーチを行っている最中のユーザからの所定の操作（音声コマンドを含む）に応じて素材データを再生し、スピーチの動画像に重畳する。これにより、サーバ装置３０に送信されるスピーチの動画像には、素材データが重畳されたものとなる。
【００５３】
コメント処理部２１７は、スピーチ再生部２１４によって他のユーザのスピーチが再生している最中にユーザから入力されるコメント（文字列）を受け付けて、通信部２３からサーバ装置３０に送信させる。
【００５４】
画面編集部２１８は、ユーザがグループリーダを務めるグループ専用画面６０（図７）のレイアウトを編集するための各種の操作を受け付ける。
【００５５】
記憶部２２は、スピーチデータ２２１や素材データ２２２を記憶する。記憶部２２は、例えば、コンピュータが備えるメモリ、ＳＳＤ(Solid State Drive)、ＨＤＤ(Hard Disk Drive)等のストレージによって実現される。
【００５６】
通信部２３は、無線又は有線によりネットワーク１１を介してサーバ装置３０に接続し、各種のデータを通信する。通信部２３は、例えば、コンピュータが備える通信モジュールによって実現される。
【００５７】
音声入出力部２４は、ユーザが行うスピーチの音声を取得する。また、音声入出力部２４は、再生された他のユーザのスピーチの音声を出力する。音声入出力部２４は、例えば、コンピュータが備えるマイクロフォン及びスピーカによって実現される。
【００５８】
撮像部２５は、ユーザが行うスピーチの動画像を撮像する。撮像部２５は、例えば、コンピュータが備えるカメラモジュールによって実現される。操作部２６は、ユーザからの各種の操作を受け付ける。操作部２６は、例えば、コンピュータが備えるマウス、キーボード、タッチパネル等のユーザインタフェースによって実現される。
【００５９】
表示部２７は、グループ選択画面５０（図６）、グループ専用画面６０（図７）等を表示する。表示部２７は、例えば、コンピュータが備える液晶ディスプレイ、有機ＥＬ等の表示デバイスによって実現される。
【００６０】
＜サーバ装置３０の構成例＞
次に、図３は、サーバ装置３０の構成例を示している。
【００６１】
サーバ装置３０は、例えば、サーバコンピュータ等の一般的なコンピュータからなる。サーバ装置３０は、処理部３１、記憶部３２、及び通信部３３を備える。
【００６２】
処理部３１は、ユーザ管理部３１１、スピーチ配信部３１２、コメント管理部３１３、グループ管理部３１４、スピーチ管理部３１５、及び起床判定部３１６の各機能ブロックを有する。
【００６３】
処理部３１の各機能ブロックは、例えば、コンピュータのＣＰＵが所定のプログラムを実行することによって実現される。
【００６４】
ユーザ管理部３１１は、端末装置２０から送信される情報に基づき、各種の登録処理を行い、端末装置２０のユーザに関するユーザ情報３２１を生成する。生成されたユーザ情報３２１は、記憶部３２に記憶される。また、ユーザ管理部３１１は、記憶部３２に記憶されたユーザ情報３２１を適宜更新する。さらに、ユーザ管理部３１１は、端末装置２０から要求に応じてログイン認証処理を行う。またさらに、ユーザ管理部３１１は、端末装置２０からユーザが当日参加するグループのグループＩＤが通知されない場合、ユーザが参加するグループを選択する。
【００６５】
図４は、ユーザ情報３２１の一例を示している。ユーザ情報３２１には、ユーザの識別情報であるユーザＩＤに対応付けて、グループＩＤ、ニックネーム、パスワード、ログイン履歴、ポイント、嗜好・属性、及びスピーチＩＤの各項目が設けられている。
【００６６】
グループＩＤの項目は、ユーザが所属しているグループのグループＩＤ（識別情報）が記録される。なお、ユーザが複数のグループに所属している場合、複数のグループＩＤが記録される。ニックネームの項目には、グループにおけるユーザの呼び方が記録される。なお、ユーザが属するグループ毎に異なるニックネームを設定することも可能である。パスワードの項目には、ログイン認証のためにユーザが入力する文字列が記録される。
【００６７】
ログイン履歴の項目には、最新のログイン時刻、ログアウト時刻、ログイン回数（日数）、朝活アプリの利用によって有効に活用できた朝の時間帯の総時間数等が記録される。ポイントの項目には、ユーザが保持しているポイント数が記録される。
【００６８】
ポイントは、例えば、ユーザのログインタイミング、起床の証拠となる画像の送信の有無等に応じて付与したり、ユーザが購入したりすることができる。ポイントは、例えば、属するグループに対する入会金、会費、寄付金等として利用することができる。
【００６９】
嗜好・属性の項目には、ユーザの嗜好情報や属性情報が記録される。スピーチＩＤの項目には、ユーザが過去に送信し、スピーチＤＢ３２３に保存されているスピーチデータの識別情報が記録される。
【００７０】
図３に戻る。スピーチ配信部３１２は、各グループのグループリーダが決定したスピーチの順序に従い、ログイン中のメンバの端末装置２０に対して、所定時間（例えば、数十秒間〜１，２分間程度）のスピーチデータの送信を要求する。なお、スピーチ配信部３１２が、スピーチの順序を決定するようにしてもよい。また、スピーチ配信部３１２は、要求に応じて端末装置２０から送信されるユーザのスピーチデータを、該ユーザと同一のグループに所属している他のユーザの端末装置２０に対してライブ配信する。さらに、スピーチ配信部３１２は、各グループのログイン中のメンバのスピーチが終了した場合、スピーチのライブ配信を終了する旨を各メンバに対応する端末装置２０に通知する。
【００７１】
コメント管理部３１３は、端末装置２０から送信された、スピーチに対するユーザのコメント（文字列）を、該ユーザと同一のグループに所属している他のユーザの端末装置２０に対して配信する。
【００７２】
グループ管理部３１４は、各グループに関するグループ情報３２２を生成する。生成されたグループ情報３２２は、記憶部３２に記憶される。また、グループ管理部３１４は、記憶部３２に記憶されたグループ情報３２２を適宜更新する。
【００７３】
図５は、グループ情報３２２の一例を示している。グループ情報３２２には、グループの識別情報であるグループＩＤに対応付けて、グループ名、グループリーダ、メンバリスト、画面情報、及びグループポイントの各項目が設けられている。
【００７４】
グループ名の項目には、グループの名称が記録される。グループリーダの項目には、グループリーダであるユーザのユーザＩＤが記録される。メンバリストの項目には、グループに所属しているメンバのユーザＩＤ、スピーチの順序、及びスピーチ時間（秒）が記録される。画面情報の項目には、グループ専用画面６０（図７）に用いられたテンプレートやデコレーションアイテムの種類、広告の有無等が記録される。グループポイントの項目には、メンバからの入会金、会費、寄付、広告収入等を原資とするグループが保有するポイント数が記録される。
【００７５】
グループポイントは、グループ専用画面６０のテンプレート、デコレーションアイテム、広告枠等の購入に利用できる他、グループが検索された際の表示の順序を上位に上げたり、グループの紹介ページを拡張したり、部員上限数を増加したり、スピーチアップロード数（数／日）を増加したりするサービスの購入に利用できる。
【００７６】
図３に戻る。スピーチ管理部３１５は、端末装置２０から送信されるユーザのスピーチデータ及び素材データを、記憶部３２内のスピーチＤＢ（データベース）３２３に登録する。なお、スピーチＤＢ３２３に登録されたスピーチデータは、サーバ装置３０が、ＳＮＳや動画サイトに投稿するようにしてもよい。
【００７７】
起床判定部３１６は、端末装置２０からログイン要求とともに送信されるユーザからの証明画像を解析し、ユーザが実際に起床しているか否かを判定する。そして、ユーザが実際に起床していると判定された場合、ユーザ管理部３１１がユーザに対して所定のポイントを付与する。起床判定部３１６には、例えば、ＡＩ(Artificial Intelligence)を用いてもよい。該証明画像は、例えば、ベッドメイクを終えたベッドの様子、着替えをしているユーザの様子、時計とともに写るユーザ、朝食を食べるユーザの様子等を撮像した画像が想定される。証明画像は、動画像であってもよい。また、証明画像を解析する代わりに、他の複数のユーザの証明画像に対する評価に基づき、ユーザが実際に起床しているか否かを判定するようにしてもよい。この詳細については図１１を参照して後述する。
【００７８】
記憶部３２は、ユーザ情報３２１、グループ情報３２２、及びスピーチＤＢ３２３を記憶する。記憶部３２は、例えば、コンピュータが備えるメモリ、ＳＳＤ、ＨＤＤ等のストレージによって実現される。
【００７９】
通信部３３は、無線又は有線によりネットワーク１１を介して端末装置２０と各種のデータを通信する。通信部２３は、例えば、コンピュータが備える通信モジュールによって実現される。
【００８０】
＜端末装置２０における画面の表示例＞
次に、図６は、端末装置２０の表示部２７に表示されるグループ選択画面５０の表示例である。グループ選択画面５０は、所定のログイン画面に対してユーザがユーザＩＤ及びパスワードを入力してログインが完了した後に表示される。
【００８１】
グループ選択画面５０には、日時領域５１、グループ選択ボタン５２、及び事前録画ボタン５３が設けられている。
【００８２】
日時領域５１には、現在の日時が表示される。なお、現在の日時の代わりに、ログインしたときの日時が表示されるようにしてもよい。
【００８３】
グループ選択ボタン５２は、ユーザが所属している複数のグループのうち、当日参加するグループを選択するユーザの操作を受け付ける。グループ選択ボタン５２のいずれかがユーザによって操作された場合、ログイン処理部２１２は、操作されたボタンに対応するグループＩＤをサーバ装置３０に通知する。
【００８４】
事前録画ボタン５３は、スピーチを予め録画しようとするユーザからの操作を受け付ける。事前録画ボタン５３がユーザによって操作された場合、スピーチ保持部２１５は、音声入出力部２４及び撮像部２５を制御して、サーバ装置３０に送信するためのスピーチを予め撮像させ、その結果得られるスピーチデータ２２１を記憶部２２に保持させる。
【００８５】
次に、図７は、当日参加するグループが選択された後に端末装置２０の表示部２７に表示されるグループ専用画面６０の表示例である。
【００８６】
グループ専用画面６０には、ログイン履歴領域６１、タイマー６２、スピーチ再生領域６３、及びスピーチ順序領域６４が設けられている。
【００８７】
ログイン履歴領域６１には、ログイン回数、及び朝活アプリの利用によって有効に活用することができた総時間数（同図の場合、１日あたり１．５時間、３０日分として算出）が表示される。
【００８８】
タイマー６２には、現在行われているスピーチの経過時間が表示される。なお、スピーチの経過時間の代わりに、スピーチの残り時間を表示するようにしてもよい。
【００８９】
スピーチ再生領域６３には、スピーチを行っているメンバの動画像が表示される。例えば、端末装置２０のユーザ自身がスピーチを行っている場合、スピーチ再生領域６３には、撮像部２５によって撮像中の動画像が表示される。また、他の端末装置２０のユーザがスピーチを行っている場合、スピーチ再生領域６３には、サーバ装置３０からライブ配信されたスピーチデータをスピーチ再生部２１４が再生することによって得られる動画像が表示される。
【００９０】
スピーチ順序領域６４には、同じグループに所属しているメンバのスピーチの順序、スピーチの進行状況、メンバのログイン状況が表示される。同図の場合、スピーチの順序は、Ｃさん、Ａさん、Ｆさん、Ｂさん、Ｄさんであることを示している。スピーチの進行状況は、メンバのニックネームに重畳表示されるインジケータ６５によって表現され、同図の場合、Ｃさんのスピーチが終わり、Ａさんのスピーチが途中であることを示している。メンバのログイン状況は、メンバのニックネームが取り消し線（２重線）によって消去されることによって表現され、同図の場合、Ｆさんが定刻までにログインしていないことを示している。
【００９１】
＜ライブ配信システム１０の動作＞
次に、図８は、端末装置２０の動作の一例を説明するフローチャートである。
【００９２】
端末装置２０の該動作は、例えば、ユーザからの所定の操作に応じ、端末装置２０が朝活アプリを起動したときに開始される。なお、前提として、端末装置２０のユーザは、既に利用登録やグループへの入会等を済ませているものとする。
【００９３】
はじめに、ログイン処理部２１２が、ユーザからの操作に応じ、サーバ装置３０に対してログインを要求する（ステップＳ１）。この要求に応じて、サーバ装置３０がログイン認証処理を行い、認証されないと、ログイン処理部２１２が、改めてログインを要求することになる。認証されると、表示部２７にはグループ選択画面５０(図６)が表示される。次に、ログイン処理部２１２が、ユーザからのグループ選択画面５０に対する選択操作に応じ、ユーザが当日参加するグループをサーバ装置３０に通知する（ステップＳ２）。この後、表示部２７にはグループ専用画面６０(図７)が表示される。
【００９４】
次に、スピーチ送信部２１３が、サーバ装置３０からスピーチデータの送信要求があったか否かを判定する（ステップＳ３）。ここで、サーバ装置３０からスピーチデータの送信要求があったと判定した場合（ステップＳ３でＹＥＳ）、スピーチ送信部２１３が、撮像部２５及び音声入出力部２４を制御して、サーバ装置３０から通知されたスピーチ時間だけ、ユーザのスピーチを撮像させ、その結果順次得られるスピーチデータを通信部２３からサーバ装置３０に送信させる（ステップＳ４）。この間、グループ専用画面６０のスピーチ再生領域６３には、撮像部２５によって撮像中の動画像が表示される。また、グループ専用画面６０のタイマー６２には、現在行われているユーザのスピーチの経過時間が表示され、スピーチ順序領域６４には、スピーチの順序、スピーチの進行状況、メンバのログイン状況が表示される。なお、スピーチ送信部２１３が、サーバ装置３０からスピーチデータの送信要求がないと判定した場合（ステップＳ３でＮＯ）、ステップＳ４はスキップされる。
【００９５】
次に、スピーチ再生部２１４が、サーバ装置３０からライブ配信され、通信部２３によって受信された他のユーザのスピーチデータの再生を開始する（ステップＳ５）。具体的には、再生の結果得られる動画像を表示部２７に表示されているグループ専用画面６０のスピーチ再生領域６３に表示させ、音声を音声入出力部２４から出力させる。さらに、グループ専用画面６０のタイマー６２に、現在行われている他のメンバのスピーチの経過時間を表示させ、スピーチ順序領域６４に、スピーチの順序、スピーチの進行状況、メンバのログイン状況を表示させる。
【００９６】
次に、スピーチ再生部２１４が、サーバ装置３０からスピーチデータのライブ配信を終了する旨の通知があったか否かを判定する（ステップＳ６）。ここで、該通知がなかったと判定した場合（ステップＳ６でＮＯ）、処理はステップＳ３に戻り、ステップＳ３〜Ｓ６が繰り返される。その後、該通知があったと判定した場合（ステップＳ６でＮＯ）、端末装置２０の動作は終了される。
【００９７】
次に、図９は、サーバ装置３０によるグループ毎の動作の一例を説明するフローチャートである。
【００９８】
サーバ装置３０によるグループ毎の該動作は、例えば、端末装置２０からのログインの要求に応じて開始される。
【００９９】
はじめに、ユーザ管理部３１１が、端末装置２０からのログイン要求に応じてログイン認証処理を行う（ステップＳ２１）。ここで、認証できなかった場合、端末装置２０に対してユーザＩＤやパスワードの再入力を求めることになる。認証できた場合、次に、ユーザ管理部３１１が、ログイン時刻を確認する（ステップＳ２２）。ここで、ログイン時刻がログイン締め切り時刻を過ぎていないことが確認できた場合、そのユーザは所属するグループのライブ配信にてスピーチを行うことができる。反対に、ログイン時刻がログイン締め切り時刻を過ぎていた場合、そのユーザは、所属するグループのライブ配信にてスピーチを行うことができず、他のメンバのスピーチを視聴するのみとなる。
【０１００】
次に、スピーチ配信部３１２が、ライブ配信開始時刻になったか否かを判定する（ステップＳ２３）。ここで、スピーチ配信部３１２が、ライブ配信開始時刻になっていないと判定した場合（ステップＳ２３でＮＯ）、ステップＳ２１に戻り、ライブ配信開始時刻になるまで、ステップＳ２１〜Ｓ２３が繰り返される。
【０１０１】
その後、ライブ配信開始時刻になったと判定した場合（ステップＳ２３でＹＥＳ）、スピーチ配信部３１２が、記憶部３２のグループ情報３２２を参照し、グループ毎に、グループリーダが決定したスピーチ順序に従い、ログイン締め切り時刻までにログインしたメンバの端末装置２０に対して、スピーチデータの送信を要求するとともに、スピーチ時間を通知する（ステップＳ２４）。そして、スピーチ配信部３１２が、要求に応じて端末装置２０から送信されたスピーチデータを、同一のグループに所属している他のメンバの端末装置２０に対してライブ配信する（ステップＳ２５）。
【０１０２】
次に、スピーチ配信部３１２が、グループ毎に、ログイン締め切り時刻までにログインした全てのメンバのスピーチが終了したか否かを判定する（ステップＳ２６）。ここで、スピーチ配信部３１２が、ログイン締め切り時刻までにログインした全てのメンバのスピーチが終了していないと判定した場合（ステップＳ２６でＮＯ）、処理はステップＳ２４に戻されて、ステップＳ２４〜Ｓ２６が繰り返され、順次、メンバによるスピーチがライブ配信される。その後、ログイン締め切り時刻までにログインした全てのメンバのスピーチが終了したと判定した場合（ステップＳ２６でＹＥＳ）、スピーチ配信部３１２が、スピーチのライブ配信を終了する旨を各メンバに対応する端末装置２０に通知する（ステップＳ２７）。以上で、サーバ装置３０の動作は、終了される。
【０１０３】
次に、図１０は、複数の端末装置２０及びサーバ装置３０の動作の一例を表すタイミングチャートである。以下、ユーザＡ，Ｂ，Ｃが同一のグループに所属していることを前提とする。
【０１０４】
同一のグループに所属しているユーザＡ，Ｂ，Ｃのうち、ユーザＡ，Ｂがログイン締め切り時刻までにログインし、ユーザＣがログイン締め切り時刻を経過してからログインした場合、ユーザＡ，Ｂの端末装置２０に対して所定の順序（同図の場合、ユーザＡ，Ｂの順）に従い順次スピーチデータの送信が要求され、該要求に応じて端末装置２０からサーバ装置３０に送信されたスピーチデータが、他の端末装置２０にライブ配信される。
【０１０５】
具体的には、はじめにユーザＡの端末装置２０に対してスピーチデータの送信が要求され、該要求に応じてユーザＡの端末装置２０からサーバ装置３０に送信されたスピーチデータが、ユーザＢ，Ｃの端末装置２０にライブ配信される。そして、ユーザＡのスピーチが終了した後、次に、ユーザＢの端末装置２０に対してスピーチデータの送信が要求され、該要求に応じてユーザＢの端末装置２０からサーバ装置３０に送信されたスピーチデータが、ユーザＡ，Ｃの端末装置２０にライブ配信される。
【０１０６】
以上説明したように、ライブ配信システム１０によれば、ユーザ（メンバ）は、ログイン締め切り時刻までにログインした場合、順次スピーチをライブ配信することができるので、グループのメンバが相互に起床を確認することができる。よって、ライブ配信システム１０は、ユーザに早起きの動機付けを与えることができ、ユーザの朝活を支援することが可能となる。
【０１０７】
次に、図１１は、起床判定部３１６による、他の複数のユーザの証明画像に対する評価に基づいてユーザが実際に起床しているか否かを判定する処理の一例を示すタイミングチャートである。
【０１０８】
例えば、ユーザＡの端末装置２０が、ログイン要求とともに証明画像を送信した場合、それを受信したサーバ装置３０では、起床判定部３１６が、ユーザＡ以外のログイン済みのユーザの中から、ユーザＡの証明画像を評価させるための複数の評価ユーザをランダムに選択する。ただし、評価ユーザは、ユーザＡとは異なるグループに所属していることが望ましい。
【０１０９】
次に、起床判定部３１６が、選択した評価ユーザの各端末装置２０に対し、ユーザＡの証明画像を転送する。次に、各評価ユーザが、例えば、３つの選択肢「起床している」、「寝ている」、及び「わからない」のいずれかを選択することにより、ユーザＡの証明画像に対して評価を行う。この評価は、各評価ユーザの端末装置２０からサーバ装置３０に送信される。なお、各評価ユーザがユーザＡの証明画像に対して任意のコメント（例えば、「美味しそうな朝食ですね」等）を入力できるようにし、そのコメントをユーザＡが見られるようにしてもよい。評価ユーザによるコメントには、その回数に上限（例えば、１日あたり５回まで等）を設けてもよい。
【０１１０】
次に、起床判定部３１６が、複数の評価ユーザによる評価に基づき、ユーザＡが実際に起床しているか否かを判定する。具体的には、例えば、評価ユーザの数に対し、「起床している」と評価した評価ユーザの数が６割以上である場合、ユーザＡが起床していると判定する。反対に、「起床している」と評価した評価ユーザの数が６割未満である場合、ユーザＡが起床していないと判定する。そして、起床判定部３１６が、判定結果をユーザ管理部３１１に通知する。
【０１１１】
次に、ユーザ管理部３１１が、起床判定部３１６の判定結果に基づいてユーザＡにポイントを付与するとともに、評価ユーザに対してもポイントを付与する。具体的には、ユーザＡについては、起床していると判定された場合にはポイントを付与し、起床していないと判定された場合にはポイントを付与しないようにする。評価ユーザについては、評価結果が起床判定部３１６による判定結果と一致している場合にはポイントを付与し、一致していない場合にはポイントを付与しないようにする。ただし、判定結果と一致しているか否かに拘わらず、証明画像に対して評価を行った全ての評価ユーザに対してポイントを付与するようにしてもよい。また、証明画像に対するコメントを入力した評価ユーザに対してポイントを付与するようにしてもよい。
【０１１２】
このように、ユーザが起床しているか否かの判定を、実質的に他のユーザが行うようにすれば、朝活アプリを利用しているユーザどうしの連帯意識を高めることができる。
【０１１３】
本明細書に記載された効果はあくまで例示であって限定されるものではなく、他の効果があってもよい。
【０１１４】
本発明は、上記した実施形態に限定されるものではなく、様々な変形例が含まれる。例えば、上記した各実施形態は、本発明を分かりやすく説明するために詳細に説明したものであり、本発明が、必ずしも説明した全ての構成要素を備えるものに限定されるものではない。また、ある実施形態の構成の一部を、他の実施形態の構成に置き換えることが可能であり、ある実施形態の構成に、他の実施形態の構成を加えることも可能である。また、各実施形態の構成の一部について、他の構成の追加・削除・置換をすることが可能である。
【０１１５】
また、上記の各構成、機能、処理部、処理手段等は、それらの一部または全部を、例えば集積回路で設計する等によりハードウェアで実現してもよい。また、上記の各構成、機能等は、プロセッサがそれぞれの機能を実現するプログラムを解釈し、実行することによりソフトウェアで実現されてもよい。各機能を実現するプログラム、テーブル、ファイル等の情報は、半導体メモリ、ＨＤＤ、ＳＳＤ等の記憶装置、または、ＩＣカード、ＳＤカード、ＤＶＤ等の記録媒体に置くことができる。また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１１６】
１０・・・ライブ配信システム、１１・・・ネットワーク、２０・・・端末装置、２１・・・処理部、２２・・・記憶部、２３・・・通信部、２４・・・音声入出力部、２５・・・撮像部、２６・・・操作部、２７・・・表示部、３０・・・サーバ装置、３１・・・処理部、３２・・・記憶部、３３・・・通信部、５０・・・グループ選択画面、５１・・・日時領域、５２・・・グループ選択ボタン、５３・・・事前録画ボタン、６０・・・グループ専用画面、６１・・・ログイン履歴領域、６２・・・タイマー、６３・・・スピーチ再生領域、６４・・・スピーチ順序領域、６５・・・インジケータ、２１１・・・登録部、２１２・・・ログイン処理部、２１３・・・スピーチ送信部、２１４・・・スピーチ再生部、２１５・・・スピーチ保持部、２１６・・・素材データ管理部、２１７・・・コメント処理部、２１８・・・画面編集部、２２１・・・スピーチデータ、２２２・・・素材データ、３１１・・・ユーザ管理部、３１２・・・スピーチ配信部、３１３・・・コメント管理部、３１４・・・グループ管理部、３１５・・・スピーチ管理部、３１６・・・起床判定部、３２１・・・ユーザ情報、３２２・・・グループ情報
【要約】
【課題】  同一グループに所属しているメンバが相互に起床を確認できる。
【解決手段】  ライブ配信システムは、端末装置が、サーバ装置からの要求に応じてユーザのスピーチデータを前記サーバ装置に送信するスピーチ送信部と、前記サーバ装置からライブ配信された他のユーザのスピーチデータを再生するスピーチ再生部と、を備え、前記サーバ装置が、前記端末装置のユーザがメンバとなるグループを管理するグループ管理部と、前記グループ毎に、所属している各メンバの前記端末装置に対して前記スピーチデータの送信を所定の順序に従って順次要求し、要求に応じて前記端末装置から順次送信された前記スピーチデータを、所属しているメンバの前記端末装置にライブ配信するスピーチ配信部と、を備えることを特徴とする。
【選択図】  図１【図１】
0006664678.tif 000002
【図２】
0006664678.tif 000003
【図３】
0006664678.tif 000004
【図４】
0006664678.tif 000005
【図５】
0006664678.tif 000006
【図６】
0006664678.tif 000007
【図７】
0006664678.tif 000008
【図８】
0006664678.tif 000009
【図９】
0006664678.tif 000010
【図１０】
0006664678.tif 000011
【図１１】
0006664678.tif 000012